【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
膝関節の柔軟性リハビリテーション装置であって、
第１の支持足部、及び、該第１の支持足部に取り付けられているブラケットを有する筒状の支柱であって、第１の孔を形成する、筒状の支柱と、
前記筒状の支柱内に並進移動可能及び回転可能に配置される高さ調整棒であって、該高さ調整棒の直径を通って延びる複数の第２の孔を形成する、高さ調整棒と、
前記高さ調整棒に対してほぼ直交するように固定される支持棒であって、パッド付きの支持棒は、膝関節後部を受け入れるように構成されている、支持棒と、
前記ブラケットに回動可能に接続される支持支柱であって、第２の支持足部が取り付けられており、平行な前記筒状の支柱から離れるように回動可能であり、該筒状の支柱に対して鋭角を形成する、支持支柱と、
前記複数の第２の孔のうちの１つに取り外し可能に配置されるピンであって、前記高さ調整棒を一方向への並進移動に抗して固定する、ピンと
を備える、膝関節の柔軟性リハビリテーション装置。
【請求項２】
前記ピンは、前記第１の孔に更に取り外し可能に配置され、前記高さ調整棒を回転及び並進移動に抗して固定する、請求項１に記載の装置。
【請求項３】
前記第１の支持足部は、前記筒状の支柱に対してほぼ直交しており、前記第２の支持足部は、前記支持支柱に対してほぼ直交している、請求項１に記載の装置。
【請求項４】
前記支持棒はパッド付きである、請求項１に記載の装置。
【請求項５】
前記ブラケットは、前記支持支柱が前記筒状の支柱から離れて所定の角度を越えて移動することを防止するように構成されている、請求項１に記載の装置。
【請求項６】
請求項２に記載の前記装置を使用する方法であって、
患者を、ほぼ水平な表面上で仰臥位の向きにするステップと、
前記患者の脚を持ち上げるステップと、
前記装置を前記患者の脚の下に配置するステップであって、前記第１の支持足部が前記患者の臀部に隣接し、前記筒状の部材が前記患者の脚の太腿にほぼ平行であるようにする、配置するステップと、
前記高さ調整棒を並進移動させるステップであって、前記支持棒が前記患者の脚の膝関節後部に接触するか又は膝関節後部に近接するようにする、並進移動させるステップと、
前記患者の脚の下側部分が片持ち梁式に前記支持棒を越えて延びることを可能にすることで、前記下側部分に対する重力を可能にして前記膝関節のリハビリテーションを促進するようにするステップと
を備える方法。
【請求項７】
前記高さ調整棒が台に向かって並進移動することを防止するように、前記ピンを前記複数の第２の孔のうちの１つに挿入するステップを更に備える請求項６に記載の方法。
【請求項８】
前記高さ調整棒の並進移動及び回転を防止するように、前記ピンを前記第１の孔及び前記複数の第２の孔のうちの１つに挿入するステップを更に備える請求項６に記載の方法。
【請求項９】
膝関節の柔軟性リハビリテーション装置であって、
第１の端、及び、第２の端を有する筒状の支柱と、
前記筒状の支柱の前記第２の端に対してほぼ直交するように強固に取り付けられた支持足部と、
膝関節後部を受け入れるように構成された長尺状のパッド付き支持棒と
を備え、前記パッド付き支持棒は、該パッド付き支持棒の各端部が自由端となるように、該前記パッド付き支持棒のほぼ中間点において前記筒状の支柱の前記第１の端に対してほぼ直交するように取り付けられ、
前記パッド付き支持棒は、前記支持足部に対して回転可能であり、
前記パッド付き支持棒は、前記支持足部に向かって移動可能であるか、又は前記支持足部から離れるように移動可能である、膝関節の柔軟性リハビリテーション装置。
【請求項１０】
前記筒状の支柱は、
前記支持足部が取り付けられた支持支柱と、
前記支持支柱に並進移動可能及び回転可能に連結された高さ調整棒であって、前記長尺状のパッド付き支持棒が前記高さ調整棒に強固に取り付けられている、高さ調整棒と
を備える、請求項９に記載の膝関節の柔軟性リハビリテーション装置。
【請求項１１】
前記支持足部は、ほぼ平坦な患者支持面に係合するように構成されている、請求項１０に記載の膝関節の柔軟性リハビリテーション装置。
【請求項１２】
膝関節の柔軟性リハビリテーションの方法であって、
患者を、ほぼ水平な表面上で仰臥位の向きにするステップと、
前記患者の脚を持ち上げるステップと、
膝関節の柔軟性リハビリテーション装置を前記患者の脚の下に配置するステップであって、
該装置が、
第１の端、及び、第２の端を有する筒状の支柱と、
前記筒状の支柱の前記第２の端に対してほぼ直交するように強固に取り付けられた支持足部と、
膝関節後部を受け入れるように構成された長尺状のパッド付き支持棒と
を備え、前記パッド付き支持棒は、該パッド付き支持棒の各端部が自由端となるように、該前記パッド付き支持棒のほぼ中間点において前記筒状の支柱の前記第１の端に対してほぼ直交するように取り付けられ、
前記パッド付き支持棒は、前記支持足部に対して回転可能であり、
前記パッド付き支持棒は、前記支持足部に向かって移動可能であるか、又は前記支持足部から離れるように移動可能である、該装置を配置するステップと、
前記患者の持ち上げられた脚の膝関節後部が前記パッド付き支持棒上に配置されるように、前記パッド付き支持棒を前記支持足部に向かって、又は前記支持足部から離れるように調整するステップであって、前記患者の脚の下側部分が片持ち梁式に前記支持棒を越えて延びることを可能にすることで、前記下側部分に重力が作用するようにして前記膝関節のリハビリテーションを促進する、ステップと、
前記患者の持ち上げられた脚の膝関節後部が前記パッド付き支持棒と接触した状態に維持された状態で、膝関節の動く範囲が増加することを促進すべく、前記患者の脚の下側部分を上げたり下げたりするステップと、を備える方法。
【請求項１３】
前記患者の持ち上げられた脚の前記膝関節後部が前記パッド付き支持棒上に配置された状態で、前記パッド付き支持棒が前記支持足部に対して回転するように前記患者の脚を動かすステップを更に備える請求項１２に記載の方法。
【手続補正２】
【補正対象書類名】明細書
【補正対象項目名】００３５
【補正方法】変更
【補正の内容】
【００３５】
回動支持支柱管１２が、中央接合部１４等において水平な支柱支持管足部１３に固定される構造的な支持部材として機能することができる。上記支柱管１２の反対側の端部は、上記ブラケット１０の対応する受け部１５に導入することができる。そのような導入部は、固定するか又は回動可能であるものとすることができる。回動可能な導入は、参照符号１６によって示される、挿入される回動ピンを設けること等によって、回動地点によって対応することができる。それによって、回動支持支柱管１２が意図される係合受け地点１５においてマルチタスクブラケット１０に係合する、示される回動地点１６を使用して、２つの協働する対向する水平な支柱支持管足部７及び１３を広げることによって、安定した、剛性の、重力アシスト受動屈曲式の膝関節の柔軟性リハビリテーション用後部支持装置を提供することができる。
【手続補正３】
【補正対象書類名】明細書
【補正対象項目名】００３９
【補正方法】変更
【補正の内容】
【００３９】
したがって、上記は、新規の膝関節の柔軟性リハビリテーション装置を記載している。膝関節の柔軟性リハビリテーション装置は、具体的には膝関節の重力アシスト受動屈曲に意図されているものとすることができる。膝関節の柔軟性リハビリテーション装置を用いて、特に膝関節の硬直、柔軟性及び強化のための膝のリハビリテーション処置を提供することができる。膝関節の柔軟性リハビリテーションを用いて、特に腫れの低減、痛みの低減、けいれんの低減及び圧迫の低減のための膝のリハビリテーション処置を提供することができる。膝関節の柔軟性リハビリテーション装置を用いて、特に損傷の回復、関節炎の軽減治療、骨折の回復及び手術の回復のための膝のリハビリテーション処置を提供することができる。膝関節の柔軟性リハビリテーション装置は、術後の回復中の膝関節の大腿骨及び脛骨の後部交差の関係に適切であるとともに満足がいくように支持する構成を提供することができる。膝関節の柔軟性リハビリテーション装置は、特に漸進的な膝関節の減圧並びに筋肉及び腱の伸張に向けた意図的な重力アシスト受動屈曲を促すことができる。
【手続補正４】
【補正対象書類名】図面
【補正対象項目名】全図
【補正方法】変更
【補正の内容】
【図１】
2017508584.tif 000001
【図２】
2017508584.tif 000002
【図３】
2017508584.tif 000003
【図４】
2017508584.tif 000004